(57)【要約】【課題】  幅広い周波数帯域で所期のデカップリングを安定して行えるコンデンサモジュールを提供する。【解決手段】  第１，第２の２端子コンデンサＣＡＰ１２，ＣＡＰ１３を多端子コンデンサＣＡＰ１１の第１，第２連結電極１０４，１０５に並列接続し、多端子コンデンサＣＡＰ１１の第１外部電極１０２と第２外部電極１０３をコンデンサモジュール１０の信号入出力端子することにより、多端子コンデンサＣＡＰ１１のＥＳＲのみをコンデンサモジュール１０のＺＦ特性において支配的に作用させ、所定の周波数範囲におけるインピーダンスを多端子コンデンサＣＡＰ１１のＥＳＲと同じかそれに近似したものとする。【選択図】  図９
2007311567.tif 000002
【特許請求の範囲】
【請求項１】
外部電極用引出し部及び連結電極用引出し部を有する第１内部導体層と、第１内部導体層の外部電極用引出し部及び連結電極用引出し部と異なる位置に外部電極用引出し部及び連結電極用引出し部を有する第２内部導体層と、連結電極用引出し部を有する第３内部導体層と、第３内部導体層の連結電極用引出し部と異なる位置に連結電極用引出し部を有する第４内部導体層と、第１内部導体層の外部電極用引出し部が接続された第１外部電極と、第２内部導体層の外部電極用引出し部が接続された第２外部電極と、第１内部導体層の連結電極用引出し部と第３内部導体層の連結電極用引出し部が接続された第１連結電極と、第２内部導体層の連結電極用引出し部と第４内部導体層の連結電極用引出し部が接続された第２連結電極とを少なくとも備えた多端子コンデンサと、
外部電極用引出し部を有する第１内部導体層と、第１内部導体層の外部電極用引出し部と異なる位置に外部電極用引出し部を有する第２内部導体層と、第１内部導体層の外部電極用引出し部が接続された第１外部電極と、第２内部導体層の外部電極用引出し部が接続された第２外部電極とを備え、多端子コンデンサよりも静電容量が大きな少なくとも１個の２端子コンデンサとを具備し、
少なくとも１個の２端子コンデンサの第１外部電極は多端子コンデンサの第１連結電極に導通し且つ少なくとも１個の２端子コンデンサの第２外部電極は多端子コンデンサの第２連結電極に導通していて、多端子コンデンサの第１外部電極と第２外部電極がコンデンサモジュールの信号入出力端子となっている、
ことを特徴とするコンデンサモジュール。
【請求項２】
多端子コンデンサの第１外部電極，第２外部電極，第１連結電極及び第２連結電極にそれぞれ対応するランドと、少なくとも１個の２端子コンデンサの第１外部電極及び第２外部電極にそれぞれ対応するランドと、多端子コンデンサの第１連結電極に対応するランドと少なくとも１個の２端子コンデンサの第１外部電極に対応するランドとを接続する第１導通トレイスと、多端子コンデンサの第２連結電極に対応するランドと少なくとも１個の２端子コンデンサの第２外部電極に対応するランドとを接続する第２導通トレイスと、多端子コンデンサの第１外部電極に対応するランドに接続された第１入出力トレイスと、多端子コンデンサの第２外部電極に対応するランドに接続された第２入出力トレイスとを備えた基板を具備し、
多端子コンデンサの第１外部電極，第２外部電極，第１連結電極及び第２連結電極はそれぞれ対応するランドに接続した状態で基板に実装され、少なくとも１個の２端子コンデンサの第１外部電極及び第２外部電極はそれぞれに対応するランドに接続した状態で基板に実装されていている、
ことを特徴とするコンデンサモジュール。
【請求項３】
多端子コンデンサは、所定の長さ，幅及び高さを有する直方体形状の積層体と、複数個の第１外部電極及び複数個の第２外部電極と、１個の第１連結電極及び１個の第２連結電極とを備え、
積層体は誘電体層と第１〜第４内部導体層とを所定の順序で幅方向に積層して一体化した構造を有し、
複数個の第１外部電極と複数個の第２外部電極は積層体の相対する側面に間隔をおいて交互に配され、
１個の第１連結電極は積層体の他の相対する側面の一方に配され且つ１個の第２連結電極は積層体の他の相対する側面の他方に配されている、
ことを特徴とする請求項１または２に記載のコンデンサモジュール。
【請求項４】
多端子コンデンサは、所定の長さ，幅及び高さを有する直方体形状の積層体と、１個の第１外部電極及び１個の第２外部電極と、１個の第１連結電極及び１個の第２連結電極とを備え、
積層体は誘電体層と第１〜第４内部導体層とを所定の順序で高さ方向に積層して一体化した構造を有し、
１個の第１外部電極は積層体の相対する側面の一方に配され且つ１個の第２外部電極は積層体の相対する側面の他方に配され、
１個の第１連結電極は積層体の他の相対する側面の一方に配され且つ１個の第２連結電極は積層体の他の相対する側面の他方に配されている、
ことを特徴とする請求項１または２に記載のコンデンサモジュール。
【請求項５】
２端子コンデンサとして、多端子コンデンサよりも静電容量が大きく且つ個々の静電容量が異なるものが２個以上用いられている、
ことを特徴とする請求項１〜４の何れか１項に記載のコンデンサモジュール。
【発明の詳細な説明】
【技術分野】
【０００１】
本発明は、デカップリングの用途に適したコンデンサモジュールに関する。
【背景技術】
【０００２】
例えば、ＩＣ等のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）の電源ラインには、デカップリングを目的とすると共に高集積化及び高速化が進むＡＳＩＣに対して十分な電荷供給ができるように複数個のコンデンサが並列接続されている。
【０００３】
図１はＡＳＩＣの電源ラインに３個のコンデンサＣＡＰ１〜ＣＡＰ３を並列接続した回路図である。この回路図では各コンデンサＣＡＰ１〜ＣＡＰ３をそれぞれ等価回路で示してある。
【０００４】
各コンデンサＣＡＰ１〜ＣＡＰ３には一般に図２に示すような積層コンデンサが用いられており、該積層コンデンサは、所定の長さ，幅及び高さを有する直方体形状の積層体１と、該積層体１の長手方向一側部と他側部に設けられた第１外部電極２及び第２外部電極３を備えている。積層体１は、長さ方向一側縁に外部電極用引出し部５ａを有する第１内部導体層５と、長手方向他側縁に外部電極用引出し部６ａを有する第２内部導体層６とを、誘電体層４を介して交互に積層して一体化した構造を有しており、各第１内部導体層５の引出し部５ａは第１外部電極２に接続され且つ各第２内部導体層６の引出し部６ａは第２外部電極３に接続されている。
【特許文献１】米国特許第６５２５６２２号明細書
【特許文献２】米国特許第６６０６０１２号明細書
【発明の開示】
【発明が解決しようとする課題】
【０００５】
前記コンデンサＣＡＰ１〜ＣＡＰ３には、幅広い周波数帯域でのデカップリングを可能とするため静電容量が異なるものが一般に利用されている。
【０００６】
図３は静電容量が異なる３個のコンデンサＣＡＰ１〜ＣＡＰ３をＡＳＩＣの電源ラインに並列接続した場合におけるＺＦ（Ｚ：インピーダンス，Ｆ：周波数）特性図である。図中の破線は各コンデンサＣＡＰ１〜ＣＡＰ３として各々の静電容量Ｃ１〜Ｃ３がＣ３＞Ｃ２＞Ｃ１となるものを用いた場合におけるＺＦ特性ＺＦＣｔであり、参考までに各コンデンサＣＡＰ１〜ＣＡＰ３それぞれのＺＦ特性ＺＦＣ１〜ＺＦＣ３を実線で示してある。
【０００７】
同図に破線で示したＺＦ特性ＺＦＣｔから分かるように、静電容量が異なる３個のコンデンサＣＡＰ１〜ＣＡＰ３を並列接続した場合には、各コンデンサＣＡＰ１〜ＣＡＰ３の共振点ｆ１〜ｆ３において各々のＥＳＲ（等価直列抵抗）がインピーダンスとして現れてしまうと共に各共振点ｆ１〜ｆ３付近にも各コンデンサＣＡＰ１〜ＣＡＰ３のＺＦ特性がそのまま現れてしまうため、周波数Ｆに応じてインピーダンスＺが大きく変化してしまう。
【０００８】
デカップリングに関して言えば前記ＺＦ特性ＺＦＣｔにおけるインピーダンスは低い方が好ましいと言え、この要求に関しては各コンデンサＣＡＰ１〜ＣＡＰ３として低インピーダンスの積層コンデンサを用いれば事足りる。
【０００９】
しかし、前記ＺＦ特性ＺＦＣｔのように周波数Ｆに応じてインピーダンスＺが大きく変化することは、幅広い周波数帯域でデカップリングを安定して行う観点からすると好ましいとは言えない。換言すれば、前記ＺＦ特性ＺＦＣｔとしてインピーダンスがフラットとなるものが得られれば、幅広い周波数帯域で所期のデカップリングを安定して行えることになる。
【００１０】
本発明は前記事情に鑑みて創作されたもので、その目的とするところは、幅広い周波数帯域で所期のデカップリングを安定して行えるコンデンサモジュールを提供することにある。
【課題を解決するための手段】
【００１１】
前記目的を達成するため、本発明のコンデンサモジュールは、外部電極用引出し部及び連結電極用引出し部を有する第１内部導体層と、第１内部導体層の外部電極用引出し部及び連結電極用引出し部と異なる位置に外部電極用引出し部及び連結電極用引出し部を有する第２内部導体層と、連結電極用引出し部を有する第３内部導体層と、第３内部導体層の連結電極用引出し部と異なる位置に連結電極用引出し部を有する第４内部導体層と、第１内部導体層の外部電極用引出し部が接続された第１外部電極と、第２内部導体層の外部電極用引出し部が接続された第２外部電極と、第１内部導体層の連結電極用引出し部と第３内部導体層の連結電極用引出し部が接続された第１連結電極と、第２内部導体層の連結電極用引出し部と第４内部導体層の連結電極用引出し部が接続された第２連結電極とを少なくとも備えた多端子コンデンサと、外部電極用引出し部を有する第１内部導体層と、第１内部導体層の外部電極用引出し部と異なる位置に外部電極用引出し部を有する第２内部導体層と、第１内部導体層の外部電極用引出し部が接続された第１外部電極と、第２内部導体層の外部電極用引出し部が接続された第２外部電極とを備え、多端子コンデンサよりも静電容量が大きな少なくとも１個の２端子コンデンサとを具備し、少なくとも１個の２端子コンデンサの第１外部電極は多端子コンデンサの第１連結電極に導通し且つ少なくとも１個の２端子コンデンサの第２外部電極は多端子コンデンサの第２連結電極に導通していて、多端子コンデンサの第１外部電極と第２外部電極がコンデンサモジュールの信号入出力端子となっている、ことをその特徴とする。
【００１２】
このコンデンサモジュールを例えばＡＳＩＣの電源ラインに適用するときには、多端子コンデンサの第１外部電極と第２外部電極の一方を電源ラインに接続し且つ他方をグラウンド（ＧＮＤ）側に接続する。
【００１３】
このコンデンサモジュールにあっては、少なくとも１個の２端子コンデンサは多端子コンデンサの第１，第２連結電極に並列接続されているため、多端子コンデンサのＥＳＲ（等価直列抵抗）のみがそのＺＦ特性において支配的に作用し、少なくとも１個の２端子コンデンサのＥＳＲはＺＦ特性には関与しない。要するに、少なくとも１個の２端子コンデンサのＥＳＲが多端子コンデンサのＥＳＲよりも低くても、所定の周波数範囲におけるインピーダンスは多端子コンデンサのＥＳＲと同じかそれに近似したものとなる。
【００１４】
これにより、所定の周波数範囲でインピーダンスがフラットになるＺＦ特性が得られるため、周波数に応じてインピーダンスが大きく変化することを防止して、幅広い周波数帯域で所期のデカップリングを安定して行うことができる。
【発明の効果】
【００１５】
本発明によれば、幅広い周波数帯域で所期のデカップリングを安定して行えるコンデンサモジュールを提供できる。
【００１６】
本発明の前記目的とそれ以外の目的と、構成特徴と、作用効果は、以下の説明と添付図面によって明らかとなる。
【発明を実施するための最良の形態】
【００１７】
図４は本発明を適用したコンデンサモジュール１０の要部上面図である。図中の１１は基板、ＣＡＰ１１は多端子コンデンサ、ＣＡＰ１２は第１の２端子コンデンサ、ＣＡＰ１３は第２の２端子コンデンサであり、多端子コンデンサＣＡＰ１１の静電容量Ｃ１１と第１の２端子コンデンサＣＡＰ１２の静電容量Ｃ１２と第２の２端子コンデンサＣＡＰ１３の静電容量Ｃ１３の関係はＣ１３＞Ｃ１２＞Ｃ１１である。
【００１８】
基板１１は、多端子コンデンサＣＡＰ１１の４個の第１外部電極１０２にそれぞれ対応する４個のランド１２と、多端子コンデンサＣＡＰ１１の４個の第２外部電極１０３にそれぞれ対応する４個のランド１３と、多端子コンデンサＣＡＰ１１の１個の第１連結電極１０４に対応する１個のランド１４と、多端子コンデンサＣＡＰ１１の１個の第２連結電極１０５に対応する１個のランド１５と、第１の２端子コンデンサＣＡＰ１２の１個の第１外部電極２０２に対応する１個のランド１６と、第１の２端子コンデンサＣＡＰ１２の１個の第２外部電極２０３に対応する１個のランド１７と、第２の２端子コンデンサＣＡＰ１３の１個の第１外部電極３０２に対応する１個のランド１８と、第２の２端子コンデンサＣＡＰ１３の１個の第２外部電極３０３に対応する１個のランド１９とを備える。
【００１９】
また、基板１１は、多端子コンデンサＣＡＰ１１の第１連結電極１０４に対応するランド１４と第１の２端子コンデンサＣＡＰ１２の第１外部電極２０２に対応するランド１６と第２の２端子コンデンサＣＡＰ１３の第１外部電極３０２に対応するランド１８とを接続する第１導通トレイス２０と、多端子コンデンサＣＡＰ１１の第２連結電極１０５に対応するランド１５と第１の２端子コンデンサＣＡＰ１２の第２外部電極２０３に対応するランド１７と第２の２端子コンデンサＣＡＰ１３の第２外部電極３０３に対応するランド１９とを接続する第２導通トレイス２１と、多端子コンデンサＣＡＰ１１の４個の第１外部電極１０２にそれぞれ対応する４個のランド１２に接続された第１入出力トレイス（図示省略）と、多端子コンデンサＣＡＰ１１の４個の第２外部電極１０３にそれぞれ対応する４個のランド１３に接続された第２入出力トレイス（図示省略）とを備える。
【００２０】
第１導通トレイス２０と第２導通トレイス２１は基板１１の上面または内部に形成されており、第１入出力トレイスと第２入出力トレイスは基板１１の内部または下面に形成されている。
【００２１】
図５は図４に示した多端子コンデンサＣＡＰ１１の外観斜視図である。この多端子コンデンサＣＡＰ１１は、所定の長さ，幅及び高さを有する直方体形状の積層体１０１と、４個の第１外部電極１０２及び４個の第２外部電極１０３と、１個の第１連結電極１０４及び１個の第２連結電極１０５とを備える。
【００２２】
４個の第１外部電極１０２は回り込み部１０２ａと側面部１０２ｂとを有するコ字形を成し、４個の第２外部電極１０３も回り込み部１０２ａと側面部１０２ｂとを有するコ字形を成していて、積層体１０１の幅方向一側部には２個の第１外部電極１０２と２個の第２外部電極１０３が間隔をおいて交互に配され、積層体１０１の幅方向他側部には２個の第１外部電極１０２と２個の第２外部電極１０３が間隔をおいて交互に配されている。また、幅方向一側部の２個の第１外部電極１０２は幅方向他側部の２個の第２外部電極１０３と向き合い、幅方向他側部の２個の第１外部電極１０２は幅方向一側部の２個の第２外部電極１０３と向き合っている。
【００２３】
１個の第１連結電極１０４と１個の第２連結電極１０５は平面状を成していて、積層体１０１の長さ方向一側面には１個の第１連結電極１０４が配され、積層体１０１の長さ方向他側面には１個の第２連結電極１０５が配されている。
【００２４】
積層体１０１は、誘電体層１０６と第１〜第６内部導体層１０７〜１１２とを図６に示す所定の順序で幅方向に積層して一体化した構造を有している。
【００２５】
第１内部導体層１０７は、高さ方向一側縁と他側縁にそれぞれ２個づつ外部電極用引出し部１０７ａを有し、長さ方向一側縁に１個の連結電極用引出し部１０７ｂを有する。第１内部導体層１０７の高さ方向一側縁の２個の引出し部１０７ａは図５左側の２個の第１外部電極１０２の上側の回り込み部１０２ａにそれぞれ対応し且つ接続され、高さ方向他側縁の２個の引出し部１０７ａは図５左側の２個の第１外部電極１０２の下側の回り込み部１０２ａにそれぞれ対応し且つ接続されている。また、第１内部導体層１０７の長さ方向一側縁の１個の連結電極用引出し部１０７ｂは図５左側の１個の第１連結電極１０４に対応し且つ接続されている。この第１内部導体層１０７は請求範囲で言うところの「多端子コンデンサの第１内部導体層」に相当する。
【００２６】
第２内部導体層１０８は、高さ方向一側縁と他側縁にそれぞれ２個づつ外部電極用引出し部１０８ａを有し、長さ方向他側縁に１個の連結電極用引出し部１０８ｂを有する。第２内部導体層１０８の高さ方向一側縁の２個の引出し部１０８ａは図５左側の２個の第２外部電極１０３の上側の回り込み部１０３ａにそれぞれ対応し且つ接続され、高さ方向他側縁の２個の引出し部１０８ａは図５左側の２個の第２外部電極１０３の下側の回り込み部１０３ａにそれぞれ対応し且つ接続されている。また、第２内部導体層１０８の長さ方向他側縁の１個の連結電極用引出し部１０８ｂは図５右側の１個の第２連結電極１０５に対応し且つ接続されている。この第２内部導体層１０８は請求範囲で言うところの「多端子コンデンサの第２内部導体層」に相当する。
【００２７】
第３内部導体層１０９は、第１内部導体層１０７と同様に、高さ方向一側縁と他側縁にそれぞれ２個づつ外部電極用引出し部１０９ａを有し、長さ方向一側縁に１個の連結電極用引出し部１０９ｂを有する。第３内部導体層１０９の高さ方向一側縁の２個の引出し部１０９ａは図５右側の２個の第１外部電極１０２の上側の回り込み部１０２ａにそれぞれ対応し且つ接続され、高さ方向他側縁の２個の引出し部１０９ａは図５右側の２個の第１外部電極１０２の下側の回り込み部１０２ａにそれぞれ対応し且つ接続されている。また、第３内部導体層１０９の長さ方向一側縁の１個の連結電極用引出し部１０９ｂは図５左側の１個の第１連結電極１０４に対応し且つ接続されている。この第３内部導体層１０９はその極性が第１内部導体層１０７と同じになるため実質的には請求範囲で言うところの「多端子コンデンサの第１内部導体層」に相当する。
【００２８】
第４内部導体層１１０は、第２内部導体層１０８と同様に、高さ方向一側縁と他側縁にそれぞれ２個づつ外部電極用引出し部１１０ａを有し、長さ方向他側縁に１個の連結電極用引出し部１１０ｂを有する。第４内部導体層１１０の高さ方向一側縁の２個の引出し部１１０ａは図５右側の２個の第２外部電極１０３の上側の回り込み部１０３ａにそれぞれ対応し且つ接続され、高さ方向他側縁の２個の引出し部１１０ａは図５右側の２個の第２外部電極１０３の下側の回り込み部１０３ａにそれぞれ対応し且つ接続されている。また、第４内部導体層１１０の長さ方向他側縁の１個の連結電極用引出し部１１０ｂは図５右側の１個の第２連結電極１０５に対応し且つ接続されている。この第４内部導体層１１０はその極性が第２内部導体層１０８と同じになるため実質的には請求範囲で言うところの「多端子コンデンサの第２内部導体層」に相当する。
【００２９】
第５内部電極層１１１は、長さ方向一側縁に１個の連結電極用引出し部１１１ａを有する。第５内部導体層１１１の長さ方向一側縁の１個の引出し部１１１ａは図５左側の１個の第１連結電極１０４に対応し且つ接続されている。この第５内部電極層１１１は請求範囲で言うところの「多端子コンデンサの第３内部導体層」に相当する。
【００３０】
第６内部電極層１１２は、長さ方向他側縁に１個の連結電極用引出し部１１２ａを有する。第６内部導体層１１２の長さ方向他側縁の１個の引出し部１１２ａは図５右側の１個の第２連結電極１０５に対応し且つ接続されている。この第６内部電極層１１２は請求範囲で言うところの「多端子コンデンサの第４内部導体層」に相当する。
【００３１】
前記多端子コンデンサＣＡＰ１１は、図４に示すように、４個の第１外部電極１０２，４個の第２外部電極１０３，１個の第１連結電極１０４及び１個の第２連結電極１０５がそれぞれに対応するランド１２，１３，１４，１５に接続した状態で基板１１に実装されている。
【００３２】
図７は図４に示した第１の２端子コンデンサＣＡＰ１２と第２の２端子コンデンサＣＡＰ１３の外観斜視図である。各２端子コンデンサＣＡＰ１２，ＣＡＰ１３は、所定の長さ，幅及び高さを有する直方体形状の積層体２０１，２０２と、１個の第１外部電極２０２，３０２及び１個の第２外部電極２０３，３０３とを備える。
【００３３】
１個の第１外部電極２０２，３０２と１個の第２外部電極２０３，３０３はキャップ状を成していて、積層体２０１，３０１の長さ方向一側部には１個の第１外部電極２０２，３０２が配され、積層体２０１，３０１の長さ方向他側部には１個の第２外部電極２０３，３０３が配されている。
【００３４】
積層体２０１，３０１は、誘電体層２０４，３０４と第１，第２内部導体層２０５，３０５，２０６，３０６を図８に示す順序で高さ方向に積層して一体化した構造を有している。
【００３５】
第１内部導体層２０５，３０５は、長さ方向一側縁に１個の外部電極用引出し部２０５ａ，３０５ａを有する。第１内部導体層２０５，３０５の長さ方向一側縁の１個の引出し部２０５ａ，３０５ａは図７左側の１個の第１外部電極２０２，３０２に対応し且つ接続されている。この第１内部導体層２０５，３０５は請求範囲で言うところの「２端子コンデンサの第１内部導体層」に相当する。
【００３６】
第２内部導体層２０６，３０６は、長さ方向他側縁に１個の外部電極用引出し部２０６ａ，３０６ａを有する。第２内部導体層２０６，３０６の長さ方向他側縁の１個の引出し部２０６ａ，３０６ａは図７右側の１個の第２外部電極２０３，３０３に対応し且つ接続されている。この第２内部導体層２０６，３０６は請求範囲で言うところの「２端子コンデンサの第２内部導体層」に相当する。
【００３７】
前記第１，第２の２端子コンデンサＣＡＰ１２，ＣＡＰ１３は、図４に示すように、１個の第１外部電極２０２，３０２及び１個の第２外部電極２０３，３０３がそれぞれに対応するランド１６，１７，１８，１９に接続した状態で基板１１に実装されている。
【００３８】
図４に示したコンデンサモジュール１０では、第１，第２の２端子コンデンサＣＡＰ１２，ＣＡＰ１３の第１外部電極２０２，３０２は第１導通トレイス２０を通じて多端子コンデンサＣＡＰ１１の第１連結電極１０４と導通し、第１，第２の２端子コンデンサＣＡＰ１２，ＣＡＰ１３の第２外部電極２０３，３０３は第２導通トレイス２１を通じて多端子コンデンサＣＡＰ１１の第２連結電極１０５と導通しているため、換言すれば、第１，第２の２端子コンデンサＣＡＰ１２，ＣＡＰ１３は多端子コンデンサＣＡＰ１１の第１，第２連結電極１０４，１０５に並列接続されているため、４個のランド１２を介して第１入出力トレイス（図示省略）に接続された多端子コンデンサＣＡＰ１１の４個の第１外部電極１０２と４個のランド１３を介して第２入出力トレイス（図示省略）に接続された多端子コンデンサＣＡＰ１１の４個の第２外部電極１０３がコンデンサモジュール１０の信号入出力端子となる。
【００３９】
図９はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）の電源ラインに図４に示したコンデンサモジュール１０を接続した回路図である。この回路図では各コンデンサＣＡＰ１１〜ＣＡＰ１３をそれぞれ等価回路で示してある。また、多端子コンデンサＣＡＰ１１の等価回路では、第１，第２内部電極１０７，１０８を主体として形成される静電容量をＣ１１ａで表し、第３，第４内部電極１０９，１１０を主体として形成される静電容量をＣ１１ｂで表してある。
【００４０】
同図から分かるように、ＡＳＩＣの電源ラインに図４に示したコンデンサモジュール１０を接続するときには、多端子コンデンサＣＡＰ１１の４個の第１外部電極１０２に通じる第１入出力トレイス（図示省略）を電源ラインに接続し且つ多端子コンデンサＣＡＰ１１の４個の第２外部電極１０３に通じる第２入出力トレイス（図示省略）をグラウンド（ＧＮＤ）側に接続する。先に述べたように、第１，第２の２端子コンデンサＣＡＰ１２，ＣＡＰ１３は多端子コンデンサＣＡＰ１１の第１，第２連結電極１０４，１０５に並列接続されているため、該第１，第２の２端子コンデンサＣＡＰ１２，ＣＡＰ１３の第１外部電極２０２，３０２と第２外部電極２０３，３０３は電源ライン及びグラウンド（ＧＮＤ）側に直接接続されない。
【００４１】
図１０は図４に示したコンデンサモジュール１０のＺＦ（Ｚ：インピーダンス，Ｆ：周波数）特性図である。図中の破線はコンデンサモジュール１０それ自体のＺＦ特性ＺＦＣｔであり、参考までに各コンデンサＣＡＰ１１〜ＣＡＰ１３それぞれのＺＦ特性ＺＦＣ１１〜ＺＦＣ１３を実線で示してある。
【００４２】
因みに、多端子コンデンサＣＡＰ１１は第１〜第６内部導体層１０７〜１１２の引出し部１０７ａ，１０７ｂ，１０８ａ，１０８ｂ，１０９ａ，１０９ｂ，１１０ａ，１１０ｂ，１１１ａ，１１２ａの数及び幅等によってＥＳＲ（等価直列抵抗）が若干高くなるように調整されているため、第１，第２の２端子コンデンサＣＡＰ１２，ＣＡＰ１３のＺＦ特性ＺＦＣ１２，ＺＦＣ１３に比べて共振点付近のインピーダンスＺはややフラットになっている。
【００４３】
同図に破線で示したＺＦ特性ＺＦＣｔから分かるように、図４に示したコンデンサモジュール１０の場合には、図３に破線で示したＺＦ特性とは異なり、周波数ｆ１１〜ｆ１２の範囲でインピーダンスＺがフラットになるＺＦ特性が得られる。
【００４４】
つまり、図４に示したコンデンサモジュール１０にあっては、第１，第２の２端子コンデンサＣＡＰ１２，ＣＡＰ１３は多端子コンデンサＣＡＰ１１の第１，第２連結電極１０４，１０５に並列接続されているため、多端子コンデンサＣＡＰ１１のＥＳＲ（図９のＲ１１参照）のみがそのＺＦ特性ＺＦＣｔにおいて支配的に作用し、第１の２端子コンデンサＣＡＰ１２のＥＳＲ（図９のＲ１２参照）と第２の２端子コンデンサＣＡＰ１３のＥＳＲ（図９のＲ１３参照）はＺＦ特性ＺＦＣｔには関与しない。
【００４５】
要するに、第１の２端子コンデンサＣＡＰ１２のＥＳＲ（図９のＲ１２参照）と第２の２端子コンデンサＣＡＰ１３のＥＳＲ（図９のＲ１３参照）が多端子コンデンサＣＡＰ１１のＥＳＲ（図９のＲ１１参照）よりも低くても、周波数ｆ１１〜ｆ１２の範囲におけるインピーダンスＺは多端子コンデンサＣＡＰ１１のＥＳＲ（図９のＲ１１参照）と同じかそれに近似したものとなる。
【００４６】
勿論、インピーダンスＺがフラットになる周波数範囲ｆ１１〜ｆ１２は、各コンデンサＣＡＰ１１〜ＣＡＰ１３を静電容量が異なるものに交換することによって任意に選定できることは言うまでもない。
【００４７】
このように、図４に示したコンデンサモジュール１０によれば、周波数ｆ１１〜ｆ１２の範囲でインピーダンスＺがフラットになるＺＦ特性ＺＦＣｔが得られるため、周波数に応じてインピーダンスが大きく変化することを防止して、幅広い周波数帯域で所期のデカップリングを安定して行うことができる。また、各コンデンサＣＡＰ１１〜ＣＡＰ１３を静電容量が異なるものに適宜交換することによって、インピーダンスＺがフラットになる周波数範囲ｆ１１〜ｆ１２を任意に可変できる。さらに、ＺＦ特性ＺＦＣｔのフラット部分のインピーダンスＺの値を多端子コンデンサＣＡＰ１１のＥＳＲを調整することによって任意に可変できる。
【００４８】
図１１は図４に示したコンデンサモジュール１０の第１変形例を示す図９対応の回路図である。同図に示したコンデンサモジュール１０-1が図４に示したコンデンサモジュール１０と異なるところは、第２の２端子コンデンサＣＡＰ１３を排除して、多端子コンデンサＣＡＰ１１と第１の２端子コンデンサＣＡＰ１２によってコンデンサモジュール１０-1を構成した点にある。他の構成及び電源ラインへの接続方法等は変わりがないためその説明を省略する。
【００４９】
図１２は図１１に示したコンデンサモジュール１０-1のＺＦ特性図である。図中の破線はコンデンサモジュールそれ自体のＺＦ特性ＺＦＣｔ’であり、参考までに各コンデンサＣＡＰ１１，ＣＡＰ１２それぞれのＺＦ特性ＺＦＣ１１，ＺＦＣ１２を実線で示してある。
【００５０】
同図に破線で示したＺＦ特性ＺＦＣｔ’から分かるように、図１２に示したコンデンサモジュール１０-1の場合には、静電容量Ｃ１３が大きな第２の２端子コンデンサＣＡＰ１３を排除したことから、インピーダンスＺがフラットになる周波数ｆ１１’〜ｆ１２の範囲が狭くなるが、図４に示したコンデンサモジュール１０と同様の作用効果を得ることができる。
【００５１】
図１３は図４に示したコンデンサモジュール１０の第２変形例を示す図９対応の回路図である。同図に示したコンデンサモジュール１０-2が図４に示したコンデンサモジュール１０と異なるところは、第２の２端子コンデンサＣＡＰ１３の静電容量Ｃ１３よりも静電容量Ｃ１４が大きな第３の２端子コンデンサＣＡＰ１４を追加し、これを第１，第２の２端子コンデンサＣＡＰ１２，ＣＡＰ１３と同様に第１，第２導通トレイス２０，２１を通じて多端子コンデンサＣＡＰ１１の第１，第２連結電極１０４，１０５に並列接続した点にある。他の構成及び電源ラインへの接続方法等は変わりがないためその説明を省略する。
【００５２】
図１４は図１３に示したコンデンサモジュール１０-2のＺＦ特性図である。図中の破線はコンデンサモジュールそれ自体のＺＦ特性ＺＦＣｔ”であり、参考までに各コンデンサＣＡＰ１１〜ＣＡＰ１４それぞれのＺＦ特性ＺＦＣ１１〜ＺＦＣ１４を実線で示してある。
【００５３】
同図に破線で示したＺＦ特性ＺＦＣｔ”から分かるように、図１３に示したコンデンサモジュール１０-2の場合には、第２の２端子コンデンサＣＡＰ１３よりも静電容量Ｃ１４が大きな第３の２端子コンデンサＣＡＰ１４を追加したことにより、インピーダンスＺがフラットになる周波数ｆ１１”〜ｆ１２の範囲を広げることができる。他の作用効果は図４に示したコンデンサモジュール１０と同様である。
【００５４】
図１５は図４に示したコンデンサモジュール１０の第３変形例を示す要部上面図である。同図に示したコンデンサモジュール１０-3が図４に示したコンデンサモジュール１０と異なるところは、多端子コンデンサＣＡＰ１１の代わりにこれと異なる構成を有する多端子コンデンサＣＡＰ１５を用い、該多端子コンデンサＣＡＰ１５の形態に合わせて基板１１の構成を変更した点にある。多端子コンデンサＣＡＰ１５の静電容量Ｃ１５は第１の２端子コンデンサＣＡＰ１２の静電容量Ｃ１２よりも小さい。
【００５５】
基板１１は、多端子コンデンサＣＡＰ１５の１個の第１外部電極５０２にそれぞれ対応する１個のランド１２’と、多端子コンデンサＣＡＰ１５の１個の第２外部電極５０３にそれぞれ対応する１個のランド１３’と、多端子コンデンサＣＡＰ１５の１個の第１連結電極５０４に対応する１個のランド１４’と、多端子コンデンサＣＡＰ１５の１個の第２連結電極５０５に対応する１個のランド１５’と、第１の２端子コンデンサＣＡＰ１２の１個の第１外部電極２０２に対応する１個のランド１６と、第１の２端子コンデンサＣＡＰ１２の１個の第２外部電極２０３に対応する１個のランド１７と、第２の２端子コンデンサＣＡＰ１３の１個の第１外部電極３０２に対応する１個のランド１８と、第２の２端子コンデンサＣＡＰ１３の１個の第２外部電極３０３に対応する１個のランド１９とを備える。
【００５６】
また、基板１１は、多端子コンデンサＣＡＰ１５の第１連結電極５０４に対応するランド１４’と第１の２端子コンデンサＣＡＰ１２の第１外部電極２０２に対応するランド１６と第２の２端子コンデンサＣＡＰ１３の第１外部電極３０２に対応するランド１８とを接続する第１導通トレイス２０’と、多端子コンデンサＣＡＰ１５の第２連結電極５０５に対応するランド１５’と第１の２端子コンデンサＣＡＰ１２の第２外部電極２０３に対応するランド１７と第２の２端子コンデンサＣＡＰ１３の第２外部電極３０３に対応するランド１９とを接続する第２導通トレイス２１’と、多端子コンデンサＣＡＰ１５の１個の第１外部電極５０２に対応する１個のランド１２’に接続された第１入出力トレイス（図示省略）と、多端子コンデンサＣＡＰ１５の１個の第２外部電極５０３に対応する１個のランド１３’に接続された第２入出力トレイス（図示省略）とを備える。
【００５７】
第１導通トレイス２０’と第２導通トレイス２１’は基板１１の上面または内部に形成されており、第１入出力トレイスと第２入出力トレイスは基板１１の内部または下面に形成されている。
【００５８】
図１６は図１５に示した多端子コンデンサＣＡＰ１５の外観斜視図である。この多端子コンデンサＣＡＰ１５は、所定の長さ，幅及び高さを有する直方体形状の積層体５０１と、１個の第１外部電極５０２及び１個の第２外部電極５０３と、１個の第１連結電極５０４及び１個の第２連結電極５０５とを備える。
【００５９】
１個の第１外部電極５０２と１個の第２外部電極５０３はキャップ状を成していて、積層体５０１の長さ方向一側部には１個の第１外部電極５０２が配され、積層体５０１の長さ方向他側部には１個の第２外部電極５０３が配されている。
【００６０】
１個の第１連結電極５０４と１個の第２連結電極５０５はコ字形を成していて、積層体５０１の幅方向方向一側部の中央には１個の第１連結電極５０４が配され、積層体５０１の幅方向他側部の中央には１個の第２連結電極５０５が配されている。
【００６１】
積層体５０１は、誘電体層５０６と第１〜第４内部導体層５０７〜５１０とを図１７に示す所定の順序で高さ方向に積層して一体化した構造を有している。
【００６２】
第１内部導体層５０７は、長さ方向一側縁に１個の外部電極用引出し部５０７ａを有し、幅方向一側縁に１個の連結電極用引出し部５０７ｂを有する。第１内部導体層５０７の長さ方向一側縁の１個の引出し部５０７ａは図１６左側の１個の第１外部電極５０２に対応し且つ接続され、幅方向一側縁の１個の引出し部５０７ｂは図１６右側の１個の第１連結電極５０４に接続されている。この第１内部導体層５０７は請求範囲で言うところの「多端子コンデンサの第１内部導体層」に相当する。
【００６３】
第２内部導体層５０８は、長さ方向他側縁に１個の外部電極用引出し部５０８ａを有し、幅方向他側縁に１個の連結電極用引出し部５０８ｂを有する。第２内部導体層５０８の長さ方向他側縁の１個の引出し部５０８ａは図１６右側の１個の第２外部電極５０３に対応し且つ接続され、幅方向他側縁の１個の引出し部５０８ｂは図１６左側の１個の第２連結電極５０５に接続されている。この第２内部導体層５０８は請求範囲で言うところの「多端子コンデンサの第２内部導体層」に相当する。
【００６４】
第３内部導体層５０９は、幅方向一側縁に１個の連結電極用引出し部５０９ａを有する。第３内部導体層５０９の幅方向一側縁の１個の引出し部５０９ａは図１６右側の１個の第１連結電極５０４に対応し且つ接続されている。この第３内部導体層５０９は請求範囲で言うところの「多端子コンデンサの第３内部導体層」に相当する。
【００６５】
第４内部導体層５１０は、幅方向他側縁に１個の連結電極用引出し部５１０ａを有する。第４内部導体層５１０の幅方向他側縁の１個の引出し部５１０ａは図１６左側の１個の第２連結電極５０５に対応し且つ接続されている。この第４内部導体層５１０は請求範囲で言うところの「多端子コンデンサの第４内部導体層」に相当する。
【００６６】
前記多端子コンデンサＣＡＰ１５は、図１５に示すように、１個の第１外部電極５０２，１個の第２外部電極５０３，１個の第１連結電極５０４及び１個の第２連結電極５０５がそれぞれに対応するランド１２’，１３’，１４’，１５’に接続した状態で基板１１に実装されている。
【００６７】
第１の２端子コンデンサＣＡＰ１２と第２の２端子コンデンサＣＡＰ１３の構成及び実装形態は図４に示したコンデンサモジュール１０と同じであるためその説明を省略する。
【００６８】
図１５に示したコンデンサモジュール１０では、第１，第２の２端子コンデンサＣＡＰ１２，ＣＡＰ１３の第１外部電極２０２，３０２は第１導通トレイス２０’を通じて多端子コンデンサＣＡＰ１５の第１連結電極５０４と導通し、第１，第２の２端子コンデンサＣＡＰ１２，ＣＡＰ１３の第２外部電極２０３，３０３は第２導通トレイス２１’を通じて多端子コンデンサＣＡＰ１５の第２連結電極５０５と導通しているため、換言すれば、第１，第２の２端子コンデンサＣＡＰ１２，ＣＡＰ１３は多端子コンデンサＣＡＰ１５の第１，第２連結電極５０４，５０５に並列接続されているため、１個のランド１２’を介して第１入出力トレイス（図示省略）に接続された多端子コンデンサＣＡＰ１５の１個の第１外部電極５０２と１個のランド１３’を介して第２入出力トレイス（図示省略）に接続された多端子コンデンサＣＡＰ１５の１個の第２外部電極５０３がコンデンサモジュール１０-3の信号入出力端子となる。
【００６９】
図１８はＡＳＩＣの電源ラインに図１５に示したコンデンサモジュール１０-3を接続した回路図である。この回路図では各コンデンサＣＡＰ１５，ＣＡＰ１２，ＣＡＰ１３をそれぞれ等価回路で示してある。
【００７０】
同図から分かるように、ＡＳＩＣの電源ラインに図１５に示したコンデンサモジュール１０-3を接続するときには、多端子コンデンサＣＡＰ１５の１個の外部電極５０２に通じる第１入出力トレイス（図示省略）を電源ラインに接続し且つ多端子コンデンサＣＡＰ１５の１個の第２外部電極５０３に通じる第２入出力トレイス（図示省略）をグラウンド（ＧＮＤ）側に接続する。先に述べたように、第１，第２の２端子コンデンサＣＡＰ１２，ＣＡＰ１３は多端子コンデンサＣＡＰ１５の第１，第２連結電極５０４，５０５に並列接続されているため、該第１，第２の２端子コンデンサＣＡＰ１２，ＣＡＰ１３の第１外部電極２０２，３０２と第２外部電極２０３，３０３は電源ライン及びグラウンド（ＧＮＤ）側に直接接続されない。
【００７１】
図１５に示したコンデンサモジュール１０-3のＺＦ特性図の図示を省略したが、該コンデンサモジュール１０-3で得られる基本的な作用効果は図４に示したコンデンサモジュールと同様である。
【００７２】
尚、前述の実施形態では、多端子コンデンサとして、図５及び図６を用いて説明した多端子コンデンサＣＡＰ１１と、図１６及び図１７を用いて説明した多端子コンデンサＣＡＰ１５を例示したが、請求範囲で特定した多端子コンデンサの構成に実質的に該当するコンデンサであれば前記多端子コンデンサとして適宜利用でき且つ前記同様の作用効果を得ることができる。
【図面の簡単な説明】
【００７３】
【図１】ＡＳＩＣの電源ラインに３個のコンデンサを並列接続した回路図である。
【図２】図１に示したコンデンサの外観斜視図と積層体の層構成を示す斜視図である。
【図３】静電容量が異なる３個のコンデンサをＡＳＩＣの電源ラインに並列接続した場合におけるＺＦ特性図である。
【図４】本発明を適用したコンデンサモジュールの要部上面図である。
【図５】図４に示した多端子コンデンサの外観斜視図である。
【図６】図５に示した積層体の層構成を示す斜視図である。
【図７】図４に示した２端子コンデンサの外観斜視図である。
【図８】図７に示した積層体の層構成を示す斜視図である。
【図９】ＡＳＩＣの電源ラインに図４に示したコンデンサモジュールを接続した回路図である。
【図１０】図４に示したコンデンサモジュールのＺＦ特性図である。
【図１１】図４に示したコンデンサモジュールの第１変形例を示す図９対応の回路図である。
【図１２】図１１に示したコンデンサモジュールのＺＦ特性図である。
【図１３】図４に示したコンデンサモジュールの第２変形例を示す図９対応の回路図である。
【図１４】図１３に示したコンデンサモジュールのＺＦ特性図である。
【図１５】図４に示したコンデンサモジュールの第３変形例を示す要部上面図である。
【図１６】図１５に示した多端子コンデンサの外観斜視図である。
【図１７】図１６に示した積層体の層構成を示す斜視図である。
【図１８】ＡＳＩＣの電源ラインに図１５に示したコンデンサモジュールを接続した回路図である。
【符号の説明】
【００７４】
１０，１０-1，１０-2，１０-3…コンデンサモジュール、１１…基板、１２〜１９，１２’〜１５’…ランド、２０，２０’…第１導通トレイス、２１，２１’…第１導通トレイス、ＣＡＰ１１…多端子コンデンサ、１０２…第１外部電極、１０３…第２外部電極、１０４…第１連結電極、１０５…第２連結電極、１０７…第１内部導体層、１０７ａ…外部電極用引出し部、１０７ｂ…連結電極用引出し部、１０８…第２内部導体層、１０８ａ…外部電極用引出し部、１０８ｂ…連結電極用引出し部、１０９…第３内部導体層、１０９ａ…外部電極用引出し部、１０９ｂ…連結電極用引出し部、１１０…第４内部導体層、１１０ａ…外部電極用引出し部、１１０ｂ…連結電極用引出し部、１１１…第５内部導体層、１１１ａ…連結電極用引出し部、１１２…第６内部導体層、１１２ａ…連結電極用引出し部、ＣＡＰ１５…多端子コンデンサ、５０２…第１外部電極、５０３…第２外部電極、５０４…第１連結電極、５０５…第２連結電極、５０７…第１内部導体層、５０７ａ…外部電極用引出し部、５０７ｂ…連結電極用引出し部、５０８…第２内部導体層、５０８ａ…外部電極用引出し部、５０８ｂ…連結電極用引出し部、５０９…第３内部導体層、５０９ａ……連結電極用引出し部、５１０…第４内部導体層、１１０ａ…連結電極用引出し部、ＣＡＰ１２〜ＣＡＰ１４…２端子コンデンサ、２０２，３０２，４０２…第１外部電極、２０３，３０３，４０３…第２外部電極、２０５、３０５…第１内部導体層、２０６，３０６…第２内部導体層。
【図１】
2007311567.tif 000003
【図２】
2007311567.tif 000004
【図３】
2007311567.tif 000005
【図４】
2007311567.tif 000006
【図５】
2007311567.tif 000007
【図６】
2007311567.tif 000008
【図７】
2007311567.tif 000009
【図８】
2007311567.tif 000010
【図９】
2007311567.tif 000011
【図１０】
2007311567.tif 000012
【図１１】
2007311567.tif 000013
【図１２】
2007311567.tif 000014
【図１３】
2007311567.tif 000015
【図１４】
2007311567.tif 000016
【図１５】
2007311567.tif 000017
【図１６】
2007311567.tif 000018
【図１７】
2007311567.tif 000019
【図１８】
2007311567.tif 000020